(57)【要約】      （修正有）【課題】巣箱内部の熱気を横方向に移動させるための上部空間を有して通気窓からの換気を効率よく行うことができる蜜蜂巣箱を提供する。【解決手段】内部に巣枠６を収納可能な箱体に形成され、一の側壁と該側壁に対向する側壁の上端には上部開口１６を封止可能に形成された内蓋２および外蓋３がそれぞれ連接され、内蓋２および外蓋３が設けられていない一の側壁と該側壁に対向する側壁の内側には巣枠６の係合凸部６４を嵌合可能な凹状の切り欠き５１が形成された桟掛け部材５が附設され、切り欠き５１に巣枠６の係合凸部６４を嵌合した状態で固定する巣枠固定手段を備えた蜜蜂巣箱であって、内蓋２と外蓋３には通気窓１３１が形成され、切り欠き５１は係合凸部６４の高さよりも深く切り欠かれており、係合凸部６４を切り欠き５１に嵌合したときに巣枠６と内蓋２との間に所定の空間を形成することを特徴とする蜜蜂巣箱。【選択図】図１
2018027067.tif 000002
【特許請求の範囲】
【請求項１】
内部に巣枠を収納可能な箱体に形成され、一の側壁と該側壁に対向する側壁の上端には上部開口を封止可能に形成された内蓋および外蓋がそれぞれ連接され、該内蓋および該外蓋が設けられていない一の側壁と該側壁に対向する側壁の内側には巣枠の係合凸部を嵌合可能な凹状の切り欠きが形成された桟掛け部材が附設され、該切り欠きに巣枠の係合凸部を嵌合した状態で固定する巣枠固定手段を備えた蜜蜂巣箱であって、前記内蓋と前記外蓋には通気窓が形成され、前記切り欠きは前記係合凸部の高さよりも深く切り欠かれており、係合凸部を該切り欠きに嵌合したときに巣枠と内蓋との間に所定の空間を形成するとともに、前記桟掛け部材の上端は附設される側壁の上端と揃うように形成されていることを特徴とする蜜蜂巣箱。
【請求項２】
前記内蓋および前記外蓋と、該内蓋および該外蓋が設けられていない一対の対向する側壁の上端に連設されたフラップ片により上部開口を封止可能に形成され、該内蓋の両端と該フラップ片の先端にはそれぞれ桟押さえ部が箱体内へ折り返し可能に連設され、該内蓋および該フラップ片を閉じた状態でそれらの桟押さえ部を下方向に折り返して巣枠と直交するように配置させ、巣枠の桟部に当接させて巣枠を固定支持することを特徴とする請求項１に記載の蜜蜂巣箱。
【請求項３】
前記切り欠きには、該切り欠きの任意の高さから前記桟掛け部材の上端にかけて、切り欠きの開口寸法が広がるようにテーパー部が形成されていることを特徴とする請求項１または２のいずれかに記載の蜜蜂巣箱。
【請求項４】
前記内蓋の桟押さえ部および前記フラップ片の桟押さえ部は、巣枠を押さえている状態で、内蓋およびフラップ片から折り曲げられた外側の面において互いに面接触するように形成されていることを特徴とする請求項２または３のいずれか１項に記載の蜜蜂巣箱。
【発明の詳細な説明】
【技術分野】
【０００１】
本発明は、蜜蜂の巣脾を保持する巣枠を収納し、蜜蜂を飼育あるいは輸送するための蜜蜂巣箱に関するものである。
【背景技術】
【０００２】
蜜蜂を利用して蜂蜜を得る養蜂は、女王蜂を中心とする数万匹の群を用いて行われているが、近年は、果物、野菜等のハウス栽培においても、受粉を行うために蜜蜂の利用が行われている。この方法は、一般に昆虫のいない時期の受粉のために、数千匹単位の蜜蜂をハウス内に放ち、受粉させるというものである。
【０００３】
よって、蜜蜂を収容して飼育するための巣箱は、養蜂家がハウス栽培農家へ蜜蜂を供給する際の輸送用の容器の役割と、ハウス内において蜜蜂を飼育し、内部の巣脾框に営巣させる役割が必要となる。
【０００４】
かかる蜜蜂の飼育条件を良好に保つためには、巣箱内の温度を一定に保つことが非常に重要であることが知られており、特に輸送時には巣箱内の温度が必要以上に上昇して蜜蜂が蒸殺されることを防ぐために十分な換気を行う必要がある。特に、トラックの荷台などの空気の流れのない閉鎖空間で運搬される場合、効率的に巣箱内の熱気を外部に排出する必要がある。
【０００５】
そこで、特許文献２では、巣箱の正面と背面の通気窓に加え、蓋体の一部に通気窓を設けることで、かかる蓋体の通気窓から巣箱内の空気が外部に抜け、巣箱内に気流が生じて効果的に熱気を排出することができる巣箱が開示されている。
【０００６】
このように蓋体の一部に通気窓の開口を形成する場合、強度の関係で該開口部は部分的なものとなる。そして、かかる部分的な開口を蓋体に設ける場合、巣枠の抑え構造次第で以下の問題が生じていた。
【０００７】
すなわち、従来の蜜蜂巣箱の巣脾を形成する巣枠を固定する手段として、上部に凹状の切り欠きを設けた固定用板材を巣箱内の側壁（正面・背面）に沿って附設し、巣枠の上部両端から水平方向に突設された突出部をかかる固定用板材の切り欠き部に嵌合させ、その上部から巣箱の蓋体の天井面もしくは別個に設けた桟押さえ部材により抑えて固定するという方法が知られている。
【０００８】
しかしながら、これらの巣枠抑え構造のうち、特許文献１、２に開示されているように巣箱の蓋体で直接巣枠を押さえるものは、巣枠と上部の蓋体との間に空間がないため、巣脾が仕切壁となって横方向（巣脾面に対して垂直方向）の空気の循環が妨げられる。したがって、蓋体に部分的に開口した通気窓からは、かかる通気窓の下部に位置する巣脾の熱気は排出できるものの、通気窓から外れて位置する巣脾に挟まれた熱気は十分に排出することが困難であった。
【０００９】
その点、特許文献３に開示されているように巣枠を桟押さえ部材により間接的に押さえるものは、巣枠と蓋体との間で桟押さえ部材の高さ分の空間が形成され、かかる上部空間で吸収された熱気は横方向（巣脾面に対して垂直方向）に空気が移動することで循環するため、蓋体の通気窓から外れて位置する巣脾であっても外部に熱気を排出することができる。
【００１０】
しかしながら、このように巣枠と蓋体との間で空間を設ける場合、巣箱内における巣枠の固定が脆弱となるおそれがある。すなわち、外部からの衝撃等により桟押さえ部材が外れると、巣枠の突出部が固定用部材の切り欠き部から上部空間へと移動可能となり、突出部が上部空間へと移動することにより巣枠の固定が外れて巣枠同士がぶつかり合うなどのおそれがある。
【００１１】
巣枠同士がぶつかると、蜜蜂をはじめ女王蜂が圧死し、また、巣脾面同士が接着し、そのままでは女王蜂の産卵スペースや働き蜂の貯蜜スペースが失われ、「群」としての力が大きく失われてしまう。
【００１２】
また、蜜蜂を巣箱にパッケージする際、飛散させないために迅速に蓋体を閉める必要があるが、固定用部材の切り欠き部に巣枠の突出部を嵌合させ、上から桟押さえ部材により固定し、その後蓋体を閉める一連の作業には手間がかかるため、その間に蜜蜂が逃げるおそれがあった。
【００１３】
さらに、巣枠と蓋体との間で空間を設ける場合、かかる空間内には蓋体を支える支柱などがなく、構造的に蓋体上部からの荷重に対して弱くなるため、輸送時に複数の巣箱を重ねたときに、角部が変形したり蓋体が破損するなどして、荷崩れなどのおそれもあった。
【００１４】
【特許文献１】特開２００５−５８０２８
【特許文献２】特開２０１３−５９２７８
【特許文献３】特開２００１−１６１２０５
【発明の概要】
【発明が解決しようとする課題】
【００１５】
そこで本発明は、従来の蜜蜂巣箱のかかる欠点を克服し、巣枠を確実に巣箱内で固定することができるとともに、巣箱内部の熱気を横方向に移動させるための上部空間を有して通気窓からの換気を効率よく行うことができる蜜蜂巣箱の提供をその課題とするものである。
【００１６】
さらに本発明は、迅速にパッキンおよび巣枠の固定を行うことができるとともに、上部からの荷重に対しても十分な強度を有する蜜蜂巣箱の提供をその課題とするものである。
【課題を解決するための手段】
【００１７】
本発明は、上記課題を解決するものであり、内部に巣枠を収納可能な箱体に形成され、一の側壁と該側壁に対向する側壁の上端には上部開口を封止可能に形成された内蓋および外蓋がそれぞれ連接され、該内蓋および該外蓋が設けられていない一の側壁と該側壁に対向する側壁の内側には巣枠の係合凸部を嵌合可能な凹状の切り欠きが形成された桟掛け部材が附設され、該切り欠きに巣枠の係合凸部を嵌合した状態で固定する巣枠固定手段を備えた蜜蜂巣箱であって、前記内蓋と前記外蓋には通気窓が形成され、前記切り欠きは前記係合凸部の高さよりも深く切り欠かれており、係合凸部を該切り欠きに嵌合したときに巣枠と内蓋との間に所定の空間を形成するとともに、前記桟掛け部材の上端は附設される側壁の上端と揃うように形成されていることを特徴とする蜜蜂巣箱である。
【００１８】
また、本発明は、前記内蓋および前記外蓋と、該内蓋および該外蓋が設けられていない一対の対向する側壁の上端に連設されたフラップ片により上部開口を封止可能に形成され、該内蓋の両端と該フラップ片の先端にはそれぞれ桟押さえ部が箱体内へ折り返し可能に連設され、該内蓋および該フラップ片を閉じた状態でそれらの桟押さえ部を下方向に折り返して巣枠と直交するように配置させ、巣枠の桟部に当接させて巣枠を固定支持することを特徴とする前記の蜜蜂巣箱である。
【００１９】
さらに、本発明は、前記切り欠きが任意の高さから上端にかけて、切り欠きの開口寸法が広がるようにテーパー部が形成されていることを特徴とする前記の蜜蜂巣箱である。
【発明の効果】
【００２０】
本発明にかかる蜜蜂巣箱は、桟掛け部材の切り欠きが係合凸部の高さよりも深く切り欠かれているため、係合凸部を桟掛け部材に嵌合したときに巣枠と内蓋との間に所定の空間を形成され、これにより、巣箱内部の熱気を横方向に移動させるための上部空間を確保して蓋体の通気窓からの換気を効率よく行うことができる。
【００２１】
また、前記桟掛け部材の上端は附設される側壁の上端と揃うように形成されているため、仮に巣枠固定手段が外れて巣枠が箱体内で上下動が可能となっても、切り欠きから係合凸部が外れることがなく、箱体内で隣接する巣枠の間隔が一定の距離で保持されて互いにぶつかり合うおそれがない。
【００２２】
また、本発明で蜜蜂巣箱で、巣枠固定手段として内蓋とフラップ片に一体に形成された桟押さえ部が設けられたものは、確実に巣枠を固定保持することができる。そして、蓋を閉じる作業と巣枠を固定する作業を同時に行うことができ、迅速にパッキンおよび巣枠の固定が完了するため、蜂が作業中に逃げるリスクを減らすことができる。特に、桟掛け部材の切り欠きの任意の高さから上端にかけて、切り欠きの開口寸法が広がるようにテーパー部が形成されたものは、切り欠き内への係合凸部の挿入がより容易となるため、巣枠のスムーズな設置が可能となる。
【００２３】
さらに、巣箱内の上部空間において、桟押さえ部が一種の支柱の役割を果たすため、内蓋および外蓋に対して上部から荷重がかかった場合であっても、箱体の変形・破損を防ぐことができる。
【図面の簡単な説明】
【００２４】
【図１】本発明に係る蜜蜂巣箱の蓋体を開放した状態の斜視図。
【図２】本発明に係る蜜蜂巣箱の桟掛け部材の正面図。
【図３】本発明に係る蜜蜂巣箱に巣枠を収納し、フラップ片を閉じた状態を示す拡大斜視図。
【図４】本発明に係る蜜蜂巣箱の桟押さえ部による巣枠の固定状態を示す一部拡大断面図。
【発明を実施するための形態】
【００２５】
以下、本発明の蜜蜂巣箱の開閉構造の実施態様を、図面に基づいて具体的に説明する。なお、本発明はこれら実施態様に何ら制約されるものではない。
【００２６】
本発明に係る蜜蜂巣箱は、内部に巣枠６を収納可能な略直方体に形成され、上部開口１６を内蓋２と外蓋３により封止可能に形成されている。本実施態様の箱体１は略直方体に形成されているが、形状はこれに限らず、内部に巣枠６を収納可能な形状であれば、その他の立方形状であってもよい。また、箱体１に収納される巣枠６は、桟部６１、縦枠部６２、底枠部６３により略矩形の枠状に形成され、かかる枠状の内部に巣脾が形成される。そして、巣枠６の上辺を構成する桟部６１の両端部からは係合凸部６４が水平に突出して形成されている。
【００２７】
箱体１は、底部１５（図示せず）と、底部１５から立設する４つの側壁（正面壁１１、右側壁１２、背面壁１３、左側壁１４）を備える。これら４つの側壁のうち、正面壁１１と背面壁１３には、必要に応じて開閉自在に設けられた換気用の通気窓１１１、１３１がそれぞれ設けられ、また、それらの通気窓の下部には、蜜蜂が出入りするための巣門１１２が設けられている。なお、底部１５は、正面壁１１、右側壁１２、背面壁１３、左側壁１４の下端に連設された４つの底板を組み合わせることにより構成されている。
【００２８】
４つの側壁のうち、左側壁１４には内蓋２が、また、左側壁１４に対向する右側壁１２には外蓋３がそれぞれ連設されており、また、内蓋２および外蓋３が設けられていない一対の対向する正面壁１１と背面壁１３にはそれぞれフラップ片４が連設され、これらの内蓋２、外蓋３、フラップ片４により、箱体１の上部開口１６が封止される。そして、内蓋２および外蓋３には、それぞれ換気用の通気窓２２と通気窓３１がそれぞれ形成されている。
【００２９】
内蓋２および外蓋３が設けられていない一対の側壁の内側、すなわち、本実施態様では正面壁１１および背面壁１３の内側には、巣枠６を箱体１内で固定支持するための桟掛け部材５が附設されている。
【００３０】
図２に示すように、桟掛け部材５は、附設される正面壁１１および背面壁１３と略同一寸法の板状に形成されており、その上端部には、凹状の切り欠き５１が複数形成されている。また、正面壁１１および背面壁１３の通気窓１１１、１３１および巣門１１２に対応する位置には、それぞれ開口５２、５３が形成されている。
【００３１】
桟掛け部材５は、その上端が附設される正面壁１１、背面壁１３の上端と揃うように同じ高さに形成することが好ましい。また、桟掛け部材５の切り欠き５１はその内部に巣枠６の係合凸部６４が嵌合可能な略矩形ないし略正方形の凹状に形成されており、かかる凹状の切り欠きの深さは（Ｘ１＋Ｘ２）、係合凸部６４の高さ（Ｘ２）よりも深くなるように形成されている。
【００３２】
このように、切り欠き５１の深さ（Ｘ１＋Ｘ２）を係合凸部６４の高さ（Ｘ２）よりも深く形成することにより、巣枠６を固定した際に巣枠６と内蓋２との間で所定の空間が形成される。かかる巣箱内の上部空間の高さ（Ｘ１）は、係合凸部６４の高さ（Ｘ２）に対する切り欠き５１の深さ（Ｘ１＋Ｘ２）により適宜設定することができるが、巣箱内部の熱気を横方向に移動させるための上部空間を確保するために、少なくとも、上部空間の高さ（Ｘ１）が２０ｍｍ以上となるように、切り欠き５１の深さ（Ｘ１＋Ｘ２）を形成することが好ましい。
【００３３】
さらに、桟掛け部材５の上端と正面壁１１、背面壁１３の上端の高さを揃えることにより、桟掛け部材５の開口部は内蓋２で塞がれる形となり、仮に巣枠固定手段が外れて巣枠６が箱体１内で上下動が可能となっても、蓋体２が閉まっている限り、切り欠き５１からは係合凸部６４が外れることはない。したがって、箱体１内で隣接する巣枠１の間隔が一定の距離で保持され、巣枠１同士がぶつかるおそれがない。
【００３４】
また、切り欠き５１は、その任意の高さから桟掛け部材５の上端にかけて、切り欠き５１の開口寸法が広がるようにテーパー部５１１を形成することが好ましい。このように、切り欠き５１の開口寸法を任意の高さから桟掛け部材５の上端にかけて広げるテーパー部５１１を形成すると、広くなった開口部から巣枠６の係合凸部６４を簡単に切り欠き５１内に挿入することができ、その結果、スムーズな巣枠１の設置が可能となる。
【００３５】
本発明の蜜蜂巣箱は、従来の一般的な巣枠固定手段、例えば、別個に設けた桟押さえ部材により抑えて固定する方法を採用することも可能であるが、以下では、内蓋２およびフラップ片４と一体に形成された巣枠固定手段について説明する。
【００３６】
本発明の巣箱の左右側壁のうち、一の側壁の上端には内蓋２が開閉自在に連設されている。本実施態様では、左側壁１４の上端部に連設されているが、これを反対側の右側壁１２側に設けてもよい。内蓋２は箱体１の上部開口１６に対し、短手方向の幅は略同一に形成されているが、長手方向の幅は狭く形成され、その左右端部に桟押さえ部２１が連設されている。また、内蓋２には、その一部に箱体１内部の換気用として通気窓２２が形成され、かかる通気窓２２には、蜜蜂の出入りを防ぐための網体が張られている。
【００３７】
本実施態様では、桟押さえ部２１は、内蓋２の左右端部から突出形成され、内蓋２を閉じた状態で箱体１内へと折り返すことにより下方向へ突出するように形成されている。そして、内蓋２を閉じた状態で巣枠６とは直交して配置され、内蓋２から略直角に折り返されたその先端が巣枠６の桟部６１に当接する。すなわち、内蓋２を閉めたときに、巣箱内部には、内蓋２から下へ折り返した桟押さえ部２１の突出高さと等しい高さの上部空間が形成される。また、桟押さえ部２１は、正面壁１１ないし背面壁１３から一定の距離を空けて箱体１開口の内側寄り、具体的には、後述するフラップ片４の長さと略同一の距離で内側に位置するように設けられ、内蓋２を閉じた状態で、後述する押さえ部４１と面接触するように設けられている。
【００３８】
そして、左右の側壁のうち、内蓋２が連設された側壁と反対側の側壁の上端には外蓋３が内蓋２の上から重ねて閉じることができるように連設されている。本実施態様では、右側壁１２の上端部に連設されているが、内蓋２が右側壁１２側に設けられている場合は、外蓋３を反対側の左側壁１４側に設けてもよい。外蓋３は箱体１の上部開口に対し略同一の形状・寸法に形成されている。
【００３９】
外蓋３には、外蓋３を閉じた状態で蓋体２の通気窓２２に対応する位置に通気窓３１が設けられている。そして、外蓋３の先端辺部には係止片３２が突設されており、これを内蓋２と左側壁１４の連設部に形成された係止用穴部１４１に挿入することにより、外蓋３を閉めた状態で固定することができる。
【００４０】
また、内蓋２と外蓋３が設けられていない一対の対向する側壁、すなわち、本実施態様では正面壁１１の上端と背面壁１３の上端には、フラップ片４がそれぞれ連設されている。フラップ片４は、正面壁１１および背面壁１３との連設部分において上部開口側１６へと折り曲げ可能に形成され、さらに、その先端部には箱体１内へと折り返し可能な桟押さえ部４１が連設されている。
【００４１】
桟押さえ部４１は、図３に示すように、フラップ片４を閉じた状態で巣枠６と直交して配置されるように形成されており、フラップ片４から略直角に下へ折り返されてその先端が巣枠６の桟部６１に当接する。すなわち、フラップ片４を閉じたときに、巣箱内部には、フラップ片４から下へ折り返した桟押さえ部４１の突出高さと等しい高さの上部空間が形成される。そして、フラップ片４および内蓋２を閉じた状態で、桟押さえ部４１は桟押さえ部２３と面接触するように形成されている。
【００４２】
図４は、箱体１内へ巣枠６を収納し、内蓋２および外蓋３を閉めた状態の一部拡大断面図である。図に示すように、巣枠６は係合凸部６４が桟掛け部材５の切り欠き５１内に挿入され、かかる状態で、桟部６１に対して桟押さえ部２１および桟押さえ部４１が当接している。このように、上から桟押さえ部２１および桟押さえ部４１が当接しているため、巣枠６は箱体１内での上下動が規制されて安定的に固定される。
【００４３】
そして、桟押さえ部２１および桟押さえ部４１は、巣枠６を押さえている状態で、蓋体２およびフラップ片４から折り曲げられた外側の面において互いに面接触している。このように、互いに面接触することにより、巣枠６をより確実に固定することができる。すなわち、桟押さえ部２１は蓋体２から、また、桟押さえ部４１はフラップ片４から、それぞれ略直角に箱体１内へと折り曲げ形成されているが、桟押さえ部２１、４１が段ボールなどの一定の曲げ剛性を有する材質で形成されている場合、折り曲げ状態から元の状態へと復元しようとする。そこで、折り曲げられた外側の面を互いに面接触させることにより、元の状態に復元しようとする力が面接触している相手側の桟押さえ部に作用し、ともに桟部６１に当接する折り曲げ姿勢で維持され、安定して巣枠６を固定することができる。
【００４４】
また、内蓋２およびフラップ片４の上からは外蓋３が重ねて被せられている。すなわち、桟押さえ部２１および桟押さえ部４１の縦の接触面に対し、垂直方向に外蓋３が被せられる。このように、蜂が外部へ漏れる可能性のある巣箱材の接地箇所が面接触するとともに、さらに、その上から垂直に面で被せることにより、隙間から蜂が漏れるリスクを減らすことができる。
【００４５】
さらに、箱体１内の上部空間において、桟押さえ部２１および桟押さえ部４１が一種の支柱の役割を果たすため、内蓋２および外蓋３に対して上部から荷重がかかった場合であっても、箱体１の変形・破損を防ぐことができる。
【００４６】
以下に、本発明に係る蜜蜂巣箱の使用方法について説明する。まず、内蓋２、外蓋３、前後のフラップ片４をいずれも開いた状態で、巣枠６を上部開口から箱体１内へと挿し入れる。そして、桟掛け部材５の切り欠き５１内に巣枠６の係合凸部６４を挿入し、巣枠６を桟掛け部材５に嵌合させる。
【００４７】
次に、前後のフラップ片４を正面壁１１および背面壁１３から上部開口１６へと折り曲げ、さらに、フラップ片４の先端に連設された桟押さえ部４１をフラップ片４から下方向へと折り込む。そして、次に内蓋２を上部開口１６へと閉じる。このとき、内蓋２の両端部に連設された桟押さえ部２１を内蓋２から下方向に折り曲げておき、前後の桟押さえ部４１の間に挿入しながら内蓋２を閉じる。
【００４８】
以上の作業により、桟押さえ部２１と桟押さえ部４１はともに面接触してその先端部が巣枠６の桟部６１に当接し、これにより、巣枠６は箱体１内において固定される。そして、最後に外蓋３を内蓋２の上から重ねるようにして閉じる。外蓋３は係止片３２を係止用穴部１４１に挿入することにより固定することができる。    
【００４９】
以上の通り、本発明の蜜蜂巣箱の巣枠の押さえは、内蓋２およびフラップ片４と一体に形成されているため、蓋を閉じる作業と巣枠を固定する作業を同時に行うことができ、迅速にパッキンおよび巣枠の固定が完了するため、蜂が作業中に逃げるリスクを減らすことができる。
【００５０】
本発明の蜜蜂巣箱の材質としては、軽量で保温性を有する材質、例えば、ダンボール、厚紙、ハードボード、パーティクルボード等や、発泡スチロール等の合成樹脂で形成することが好ましい。 このうち、経済性の面からはダンボールまたは発泡スチロールで形成することが特に好ましい。  
【符号の説明】
【００５１】
１  …  …  箱体
２  …  …  内蓋
３  …  …  外蓋
４  …  …  フラップ片
５  …  …  桟掛け部材
６  …  …  巣枠
１１  …  …  正面壁
１２  …  …  右側壁  
１３  …  …  背面壁
１４  …  …  左側壁
１５  …  …  底部
１６  …  …  上部開口
２１  …  …  桟押さえ部
２２  …  …  通気窓
３１  …  …  通気窓
３２  …  …  係止片
４１  …  …  桟押さえ部
５１  …  …  切り欠き  
５２  …  …  開口
５３  …  …  開口  
６１  …  …  桟部
６２  …  …  縦枠部
６３  …  …  底枠部
６４  …  …  係合凸部
１１１  …  …  通気窓
１１２  …  …  巣門
１３１  …  …  通気窓
５１１  …  …  テーパー部
Ｘ１  …  …  上部空間の高さ
Ｘ２  …  …  係合凸部６４の高さ
【図１】
2018027067.tif 000003
【図２】
2018027067.tif 000004
【図３】
2018027067.tif 000005
【図４】
2018027067.tif 000006